(57)【要約】【課題】  駆動源の小型化、コストの低減化を図る。【解決手段】  本発明は、遊技盤１の遊技領域３に弾球された遊技球が入賞可能な入賞領域が左右にそれぞれ形成された弾球遊技機の可変入賞装置９であって、前記遊技球が左右に転動可能なように形成されたステージ部４０を備え、ステージ部４０には、前記遊技球を左右に振り分け可能な左右振り分け機構１６が設けられており、左右振り分け機構１６には、前記遊技球と非接触形態で左右一対の電磁石４４，４５が設けられ、この左右いずれか一方の電磁石４４，４５を磁化させることによりステージ部４０の遊技球が左右いずれかの前記入賞領域に振り分けられるように構成されていることを特徴とする。【選択図】  図５
2005198877.tif 000002
【特許請求の範囲】
【請求項１】
遊技盤の遊技領域に弾球された遊技球が入賞可能な入賞領域が左右にそれぞれ形成された弾球遊技機の可変入賞装置であって、
前記遊技球が左右に転動可能なように形成されたステージ部を備え、該ステージ部には、前記遊技球を左右に振り分け可能な左右振り分け機構が設けられており、該左右振り分け機構には、前記遊技球と非接触形態で左右一対の電磁石が設けられ、この左右いずれか一方の電磁石を磁化させることにより前記ステージ部の遊技球が左右いずれかの前記入賞領域に振り分けられるように構成されていることを特徴とする弾球遊技機の可変入賞装置。
【請求項２】
遊技状態に応じて開閉され、開放時に前記遊技球を前記ステージ部に誘導可能な球受容部が裏面側に形成された開閉扉をさらに備えている請求項１に記載の弾球遊技機の可変入賞装置。
【発明の詳細な説明】
【技術分野】
【０００１】
本発明は、パチンコ遊技機等の弾球遊技機の可変入賞装置に関し、特に、遊技球が入賞可能な入賞領域が左右にそれぞれ形成された弾球遊技機の可変入賞装置に関する。
【背景技術】
【０００２】
従来、パチンコ遊技機に代表される弾球遊技機においては、遊技盤前面の遊技領域に設けられた始動入賞口に遊技球が入賞することを契機として、図柄表示装置において所要の図柄変動表示が行われ、その図柄の停止態様に応じて、入賞口を開放させる可変入賞装置が知られている。
【０００３】
このような可変入賞装置には、ソレノイドやモータ等の駆動源により開閉可能な開閉扉と、該開閉扉を介して誘導された遊技球が左右に転動可能なように形成されたステージ部と、ソレノイド等の駆動源によりシーソーのように左右交互に傾動させ、前記ステージ部に誘導された遊技球を左右に振り分ける左右振り分け機構とが設けられており、左右振り分け機構によって左右に振り分けられた遊技球は前記ステージ部の左右にそれぞれ形成された特定領域（Ｖゾーン）と一般領域とにそれぞれ振り分けられるようになっている（例えば、特許文献１参照）。
【０００４】
【特許文献１】特開２００２−１５３６３７号公報
【発明の開示】
【発明が解決しようとする課題】
【０００５】
しかしながら、上記した従来の弾球遊技機の可変入賞装置では、左右振り分け機構がシーソーのように左右交互に傾動し、一方側に傾動した場合には他方側がステージ部より上方に突出するようになっていたため、その突出部分に遊技球が接触することにより左右振り分け機構の動作方向とは反対方向にも外力が作用し、左右振り分け機構の駆動源に余分な負荷が掛かるようになっていた。そのため、駆動源はその余分な負荷を見込んだものにしなければならず、駆動源の駆動力やサイズが大型化し、コストも増大してしまうといった問題があった。
【０００６】
本発明は、上記した課題を解決すべくなされたものであり、遊技球が左右振り分け機構と接触することなく左右に確実に振り分けられ、駆動源の小型化、コストの低減化が可能な弾球遊技機の可変入賞装置を提供しようとするものである。
【課題を解決するための手段】
【０００７】
本発明は、遊技盤１の遊技領域３に弾球された遊技球が入賞可能な入賞領域が左右にそれぞれ形成された弾球遊技機の可変入賞装置９であって、前記遊技球が左右に転動可能なように形成されたステージ部４０を備え、ステージ部４０には、前記遊技球を左右に振り分け可能な左右振り分け機構１６が設けられており、左右振り分け機構１６には、前記遊技球と非接触形態で左右一対の電磁石４４，４５が設けられ、この左右いずれか一方の電磁石４４，４５を磁化させることによりステージ部４０の遊技球が左右いずれかの前記入賞領域に振り分けられるように構成されていることを特徴とする。
【０００８】
そして、好ましくは、本発明に係る弾球遊技機の可変入賞装置９は、遊技状態に応じて開閉され、開放時に前記遊技球をステージ部４０に誘導可能な球受容部２４が裏面側に形成された開閉扉１４をさらに備えている。
【発明の効果】
【０００９】
本発明によれば、遊技球が左右振り分け機構と接触することなく左右に確実に振り分けられるようになるため、左右振り分け機構の駆動源の駆動力やサイズを最小限に抑えることができ、コストの低減化が可能となる等、種々の優れた効果を得ることができる。
【発明を実施するための最良の形態】
【００１０】
以下、図面を参照しつつ、本発明の実施の形態について説明する。なお、以下の説明では、本発明をパチンコ遊技機に適用した場合について説明する。
【００１１】
先ず、図１により、パチンコ遊技機の概略構成について説明する。ここで、図１はパチンコ遊技機の遊技盤１の正面図を示している。
【００１２】
この遊技盤１の前面には、ガイドレール２が環状に取付けられ、ガイドレール２の内側に遊技領域３が形成されている。遊技領域３には、その略中央部に図柄表示装置４が配置され、図柄表示装置４にはカラー液晶パネルの図柄表示器５が設けられている。また、遊技領域３には、図柄表示器５の周囲にセンター飾り部品６が配置され、さらに、センター飾り部品６の下方及びその周囲に始動入賞口７、大入賞口８を有する可変入賞装置９、ゲート１０等の遊技部品が配置されている。
【００１３】
次に、図２〜図５を参照しつつ、本発明の実施の形態に係る可変入賞装置９について説明する。ここで、図２は可変入賞装置９の正面図、図３はその背面図、図４はその分解背面図、図５は可変入賞装置９を後方から見た分解斜視図をそれぞれ示している。
【００１４】
可変入賞装置９は、ベース部材１１の周縁部に設けられた所要数（図示では４個）の取付孔１２を介して遊技盤１にネジ止めされるようになっており、ベース部材１１の略中央部に形成された矩形状の開口部１３を開閉可能な開閉扉１４と、ベース部材１１の後方に設けられる筐体１５と、筐体１５に設けられ、筐体１５内に誘導された球を左右の入賞領域に振り分けるための左右振り分け機構１６及び開閉扉１４を開閉駆動させるための開閉扉駆動機構１７とを主体に構成され、筐体１５は、さらに箱部材３１と、箱部材３１の後側を閉塞する通路形成部材３２とから構成されている。
【００１５】
ベース部材１１は、遊技盤１の前面に沿うように略平板状に形成されており、ベース部材１１の後面には、ネジ止め用のボス部１８が左右それぞれ２箇所ずつ突設されている。また、ベース部材１１の後面の開口部１３の両側下部には、上下で一対の回動軸受け部１９，２０が突設され、各回動軸受け部１９，２０の設置箇所にはそれぞれ軸受け凹部２１，２２が形成されている。
【００１６】
開閉扉１４は、ベース部材１１の開口部１３に整合するような矩形状を成しており、開閉扉１４の前面には、両側下部にそれぞれ前面当接部２３が突設され、前面当接部２３が開口部１３下方のベース部材１１の前面側縁部に当接することにより開閉扉１４の開放時に開閉扉１４の後面が後方に傾斜した姿勢で保持されるようになっている。また、開閉扉１４の後面には球受容部２４が形成されており、球受容部２４には、両側にそれぞれ球案内側壁２５が突設されていると共に各球案内側壁２５の途中からそれぞれ後方内側に向かって球寄せ壁２６が突設されている。
【００１７】
さらに、開閉扉１４の両側下部には、回動軸部２７，２８がそれぞれ左右（以降、左右方向はすべて後方から見た方向を言うものとする。）外方に突出して形成され、一方側（本実施の形態では右側）の回動軸部２８の先端には後方が開放されたＵ字形状を成す駆動伝達部材係合部２９が形成されている。そして、回動軸部２７が回動軸受け部１９及び軸受け凹部２１に係合すると共に回動軸部２８が回動軸受け部２０及び軸受け凹部２２に係合することにより、開閉扉１４が回動軸部２７，２８を支点に前後方向に回動可能に支持されるようになっている。さらにまた、開閉扉１４の両側下部には、それぞれ後面当接部３０が下方に突設され、後面当接部３０が開口部１３下方のベース部材１１の後面側縁部に当接することにより開閉扉１４の閉塞姿勢が保持されるようになっている。
【００１８】
筐体１５のうち、箱部材３１には、両端部に固定用鍔部３５が形成され、固定用鍔部３５にはそれぞれ３箇所ずつ取付孔３６ａ，３６ｂ，３６ｃが穿設されている。そのうち、各上下の取付孔３６ａ及び３６ｃはベース部材１１のボス部１８に対応した位置に形成されており、取付孔３６ａ，３６ｃに後方からネジを螺入することにより、箱部材３１がベース部材１１にネジ止め固定されるようになっている。
【００１９】
箱部材３１は、内部が中央部分３７とその左右側方部分３８，３９との３部分から構成されており、中央部分３７には、放物状に湾曲するステージ部４０が形成されている。ステージ部４０には、中央に形成された最頂部４１から左右方向に向かってそれぞれ下がり勾配の傾斜路３３，３４が形成されており、各傾斜路３３，３４の端部には遊技球を後方に案内するための球案内部５３，５４がそれぞれ形成されている。そして、ステージ部４０の最頂部４１の両側下面には、駆動源取付部４２，４３が左右一対で形成され、各駆動源取付部４２，４３に駆動源である電磁石４４，４５がそれぞれ嵌着されている。この左右いずれかの電磁石４４又は４５は、図示しない制御装置により、通常は、遊技球が特定入賞領域に入賞する迄は、左側（特定入賞領域側）の電磁石４４が通電され、遊技球が特定入賞領域に入賞すると判断されると、右側（一般入賞領域側）の電磁石４５が通電され、その状態が次のラウンド迄、維持されるようになっている。その結果、ステージ部４０の最頂部４１付近に誘導された遊技球は、その通電により磁化された方の電磁石に引き寄せられることにより、左右いずれかの方向に振り分けられるようになる。このようにして、ステージ部４０上の遊技球と電磁石４４，４５とを接触させることなく遊技球を左右に振り分ける非接触形態の左右振り分け機構１６が構成される。なお、上記した電磁石４４，４５の制御手順は、単なる一例であり、予め設定された所定のタイミングで交互に通電制御されるようになっていれば他の手順で制御されてもよい。
【００２０】
また、箱部材３１の一方側（本実施の形態では右側）の側方部分３９には、開閉扉駆動機構１７が収容可能となっており、その側方部分３９の上部には駆動源収容部４６が形成され、下部には駆動伝達部材収容部４７が形成されている。そして、駆動源収容部４６には、内面が曲面状を成す側壁部４８が左右一対で形成され、各側壁部４８の間には駆動源動作規制部４９が上下方向に形成されている。
【００２１】
一方、駆動伝達部材収容部４７には、中央に方形状の開口部５０が形成され、開口部５０に回動軸部２８の駆動伝達部材係合部２９が位置するようになっている。そして、その開口部５０と中央部分３７との間の仕切壁前端部５１は、回動軸受け部２０に対向した位置に設けられており、回動軸部２８が回動軸受け部２０から後方に脱落しないようになっている。また、駆動伝達部材収容部４７の開口部５０の両側には、後方が開放されたＵ字形状の駆動伝達部材回動軸受け部５２がそれぞれ左右一対で形成されている。
【００２２】
また、箱部材３１の他方側（本実施の形態では左側）の側方部分３８には、図示しないが、回動軸部脱落防止部が回動軸受け部１９に対向した位置に設けられ、回動軸部２７が回動軸受け部１９から後方に脱落しないようになっている。このように、開閉扉１４の左右の回動軸部２７，２８は、それぞれ、回動軸受け部１９と前記回動軸部脱落防止部、及び回動軸受け部２０と仕切壁前端部５１により、回動可能に支持されるようになっている。
【００２３】
開閉扉駆動機構１７は、駆動源であるソレノイド５５と、ソレノイド５５の駆動力を開閉扉１４に伝達する駆動伝達部材５６とを主体に構成されている。ソレノイド５５は、本実施の形態ではラッチングソレノイドを使用しており、図示しない永久磁石及びコイルを内蔵するソレノイド本体５７と、ソレノイド本体５７に進退可能に設けられたプランジャ５８と、プランジャ５８の先端部に一体成形された係合鍔部５９と、プランジャ５８に周設されたコイルバネ（図示せず）とを備え、プランジャ５８は前記コイルバネにより前進方向に付勢されている。そして、ソレノイド５５は、係合鍔部５９を前方に向けた姿勢で、ソレノイド支持部材６０を介在させて、箱部材３１の一方側（本実施の形態では右側）の固定用鍔部３５の中央の取付孔３６ｂにネジ止め固定されるようになっている。なお、駆動源としては、上記したラッチングソレノイドに限定されるものではなく、他のタイプのソレノイド、或いは、ステッピングモータ、リニアモータ等のモータを使用することも可能である。
【００２４】
駆動伝達部材５６は、ソレノイド５５の係合鍔部５９に係合する入力側部材６１と、開閉扉１４の駆動伝達部材係合部２９に係合する出力側部材６２と、入力側部材６１と出力側部材６２を相互に連結するねじりバネ６３とから構成され、ねじりバネ６３の両端部にはそれぞれ鉤状に屈曲された掛止部６４，６５が形成されている。入力側部材６１は、挿通孔６６が形成された出力側部材係合部６７と、出力側部材係合部６７の外周部から水平方向に延出する一対の駆動源係合部６８ａ，６８ｂと、駆動源係合部６８ａ，６８ｂの基端側に段状に形成されたバネ掛止受け部６９とから構成され、一方の駆動源係合部６８ａの先端部には当接突起部７０が形成されている。
【００２５】
一方、出力側部材６２は、出力側部材係合部６７の挿通孔６６に挿通可能且つ両端部が駆動伝達部材回動軸受け部５２に係合可能な係合軸部７１と、係合軸部７１の周方向に沿って所定間隔を置いて軸方向に複数形成されたバネ収容突起部７２と、係合軸部７１の径方向に延出する駆動伝達腕部７３と、係合軸部７１と平行を成すように駆動伝達腕部７３から延出する係合ピン７４と、駆動伝達腕部７３の基端側に段状に形成されたバネ掛止受け部７５とから構成され、係合軸部７１は出力側部材係合部６７の挿通孔６６より若干小径に形成されている。また、駆動伝達腕部７３の外周部には入力側部材６１の当接突起部７０が当接可能な当接突起受け部（図示せず）が形成されている。
【００２６】
すなわち、ねじりバネ６３をバネ収容突起部７２に周設させた状態で係合軸部７１を出力側部材係合部６７の挿通孔６６に挿通させ、ねじりバネ６３の一方の掛止部６４を入力側部材６１のバネ掛止受け部６９に掛止させると共に他方の掛止部６５を出力側部材６２のバネ掛止受け部７５に掛止させると、入力側部材６１の当接突起部７０が出力側部材６２の前記当接突起受け部（図示せず）に当接し、ねじりバネ６３の付勢方向への回転が規制され、入力側部材６１と出力側部材６２がプリロード状態で連結されるようになっている。
【００２７】
箱部材３１のうち、通路形成部材３２は、本体部７６と本体部７６の後面を閉塞する後蓋部７７の２部材から構成されている。そして、本体部７６の前面側には、ステージ部４０の左右傾斜路３３，３４の各端部に対応する位置にそれぞれ特定入賞領域入口７８と一般入賞領域入口７９（図２参照）がそれぞれ方形状に開口されている。また、本体部７６の前面側両端部には、軸受け当接部８０，８１がそれぞれ２箇所ずつ前方に突出して形成されている。このうち、一方側（本実施の形態では右側）の各軸受け当接部８１は駆動伝達部材回動軸受け部５２に対応する位置に設けられ、この軸受け当接部８１により、駆動伝達部材回動軸受け部５２の後方開放部分が閉塞され、駆動伝達部材５６の後方への脱落が防止され、駆動伝達部材５６は駆動伝達部材収容部４７に回動自在に支持されるようになっている。なお、他方側（本実施の形態では左側）の各軸受け当接部８０はダミーで設けられている。
【００２８】
さらに、本体部７６の両側下部には、検出スイッチ収容部８４，８５がそれぞれ形成されており、各検出スイッチ収容部８４，８５には特定入賞領域通過検出スイッチ８２及び一般領域通過検出スイッチ８３が着脱可能に収容可能となっている。なお、特定入賞領域通過検出スイッチ８２及び一般領域通過検出スイッチ８３としては、遊技球の通過により変化する磁束密度を検出するコイルを備えた電磁式検出スイッチ、遊技球の通過により変化する電界を検出する電界検出スイッチ、或いは、通過する遊技球により操作部を駆動させることにより電気接点を開閉させるメカスイッチ等が使用可能である。
【００２９】
また、後蓋部７７の前面側には、特定入賞領域入口７８と一般入賞領域入口７９に対応する位置にそれぞれ球誘導突起部８６（図２参照）が突設されており、球誘導突起部８６は遊技球を特定入賞領域（Ｖゾーン）及び一般入賞領域（いずれも図示せず）に誘導可能なように下側後方に傾斜して形成されている。
【００３０】
次に、図１〜５を参照しつつ、本実施の形態に係るパチンコ遊技機の可変入賞装置９の動作について説明する。
【００３１】
遊技領域３に弾球された遊技球が始動入賞口７に入賞すると、図柄表示装置４において図柄の変動表示が開始され、所定時間経過後、停止図柄の組み合わせが、特定図柄、例えば、数字の７が３個揃う図柄となると判断された場合、通常遊技から特別遊技（大当り遊技）に移行する。
【００３２】
特別遊技に突入すると、ソレノイド５５が駆動され、そのプランジャ５８が前記コイルバネの弾性力に抗して後退し、駆動伝達部材５６が係合軸部７１を支点に回転する。そして、駆動伝達部材５６の回転に伴い、開閉扉１４が回動軸部２７，２８を支点に前方に回転し、大入賞口８が開放される。この時、前面当接部２３が開口部１３の下方のベース部材１１の前面側縁部に当接し、開閉扉１４が後面の球受容部２４が後方のステージ部４０に向かって所定角度傾斜した姿勢に保持され、さらに、球受容部２４には中央に向かって球寄せ壁２６が形成されているため、球受容部２４に落下した遊技球はステージ部４０の最頂部４１付近に確実に誘導される。
【００３３】
この場合、遊技球が特定入賞領域に入賞する迄は、左側（特定入賞領域側）の電磁石４４が通電されるため、球受容部２４からステージ４０の最頂部４１付近に誘導された遊技球は、通電により磁化された左側電磁石４４により引き寄せられ、左側傾斜路３３に沿って左方に向かって転動し、特定入賞領域入口７８を通って前記特定入賞領域に入賞する。一方、遊技球が特定入賞領域に入賞すると判断されると、今度は反対に、右側（一般入賞領域側）の電磁石４５が通電され、遊技球は、通電により磁化された右側電磁石４５により引き寄せられ、右側傾斜路３４に沿って右方に向かって転動し、一般入賞領域入口７９を通って前記一般入賞領域に入賞する。なお、右側電磁石４５が通電され、磁化された状態は、次のラウンド迄、維持される。そして、前記特定入賞領域への遊技球の入賞は特定入賞領域通過検出スイッチ８２により検出され、前記一般入賞領域への遊技球の入賞は一般入賞領域通過検出スイッチ８３により検出される。
【００３４】
大入賞口８の前記特定入賞領域又は前記一般入賞領域のいずれかに遊技球が入賞した場合には、１５球の賞球が遊技者に払い出される。大入賞口８の開閉扉１４は、開放してから３０秒経過するか、又は１０球の入賞があるかのいずれかの事象が発生した場合に一旦閉鎖するが、開閉扉１４が開放している間に、前記特定入賞領域への入賞があった場合には、大入賞口８の開閉扉１４は再度開放される。そして、その開閉扉１４は、最大１６回連続して開放することが可能となっており、開閉扉１４が１６回開放し終えるか、或いは開閉扉１４の開放中に前記特定入賞領域への入賞を特定入賞領域通過検出スイッチ８２が検出しなかった場合には、特別遊技は終了する。
【００３５】
特別遊技が終了すると、ソレノイド５５は駆動を停止し、プランジャ５８は前記コイルバネの弾性力により前進し、駆動伝達部材５６は、開閉扉１４の開放時とは反対の方向に回転する。そして、駆動伝達部材５６の回転に伴い、開閉扉１４は回動軸部２７，２８を支点に後方に回転し、大入賞口８が閉鎖される。この時、開閉扉１４の後面当接部３０が開口部１３下方のベース部材１１の後面側縁部に当接するため、開閉扉１４の閉鎖姿勢は確実に保持される。
【００３６】
このように、上記した実施の形態によれば、大入賞口８に入賞した遊技球は、左右いずれかの電磁石４４，４５が磁化されることにより左右の傾斜路３３，３４に確実に振り分けられようになっているため、予め設定された所定のタイミングで遊技球を前記特定入賞領域又は前記一般入賞領域に確実に入賞させることができる。また、左右振り分け機構１６が非接触形態で構成されているため、駆動源である電磁石７１，７２への負荷を最小限に抑えることができ、ランニングコストの低減化が可能となる。さらに、非接触形態で遊技球を左右に振り分けることにより、遊技球が左右いずれの方向に振り分けられるのかを遊技者が判断し難くなるため、遊技者に止め打ち等によりタイミングを計られるおそれがなくなる。
【００３７】
なお、図６に示すように、球受容部２４の球寄せ壁９１を中央方向に延長し、球受容部２４に落下した遊技球９２が球受容部２４の中央側に確実に誘導されるように構成させてもよい。この場合、遊技球９２はステージ部４０の最頂部４１に確実に誘導されるようになるため、所望なように左右振り分け機構１６を制御できるようになる。
【００３８】
また、上記した実施の形態において、可変入賞装置９には前後方向に開閉可能な開閉扉１４が設けられているが、この開閉扉１４は、第２種（羽根物）の遊技盤に設けられる羽根タイプ（左右傾動式）のように左右方向に開閉可能なものであってもよい。
【００３９】
さらにまた、本発明は、上記した大入賞口８以外の遊技部品にも適用可能であり、また、アレンジボール遊技機や雀球遊技機等、上記したパチンコ遊技機以外の弾球遊技機にも適用可能であることは言う迄もない。
【図面の簡単な説明】
【００４０】
【図１】本発明の実施の形態における遊技盤を示す正面図である。
【図２】本発明の実施の形態に係る弾球遊技機の可変入賞装置を示す正面図である。
【図３】本発明の実施の形態に係る弾球遊技機の可変入賞装置を示す背面図である。
【図４】本発明の実施の形態に係る弾球遊技機の可変入賞装置を示す分解背面図である。
【図５】本発明の実施の形態に係る弾球遊技機の可変入賞装置を示す分解斜視図である。
【図６】本発明の実施の形態における球受容部の変更例を示す背面図である。
【符号の説明】
【００４１】
１          遊技盤
３          遊技領域
９          可変入賞装置
１４        開閉扉
１６        左右振り分け機構
２４        球受容部
４０        ステージ部
４４        電磁石
４５        電磁石
【図１】
2005198877.tif 000003
【図２】
2005198877.tif 000004
【図３】
2005198877.tif 000005
【図４】
2005198877.tif 000006
【図５】
2005198877.tif 000007
【図６】
2005198877.tif 000008